(57)【要約】【課題】非接触式自動改札機等の非接触券処理機と非接触券との間のデータ授受が良好に行われるようにする。【解決手段】非接触券処理機の本体に設けられているアンテナに無線通信機能を備えたＩＣカードからなる非接触券をタッチ又はそのアンテナにかざしてその非接触券処理機の本体とその非接触券との間でデータ授受を行って所定の処理を行う非接触券処理機において、前記アンテナは、複数個に分割されて配置されていることを特徴とする。【選択図】　　　図１
2004038453.tif 000002
【特許請求の範囲】
【請求項１】
非接触券処理機の本体に設けられているアンテナに無線通信機能を備えたＩＣカードからなる非接触券をタッチ又はそのアンテナにかざしてその非接触券処理機の本体とその非接触券との間でデータ授受を行って所定の処理を行う非接触券処理機において、
前記アンテナは、複数個に分割されて配置されていることを特徴とする非接触券処理機。
【請求項２】
請求項１に記載の非接触券処理機において、非接触券処理機の本体は、駅務機器の本体であることを特徴とする非接触券処理機。
【請求項３】
請求項２に記載の非接触券処理機において、駅務機器の本体は、非接触式自動改札機であることを特徴とする非接触券処理機。
【請求項４】
請求項１〜３のいずれかに記載の非接触券処理機において、非接触券は、非接触券処理機の本体から電力波を受けて駆動されるものであることを特徴とする非接触券処理機。
【発明の詳細な説明】
【０００１】
【発明の属する技術分野】
本発明は非接触券処理機に係り、特に、非接触券との交信が良好に行えるようにしたものに関する。
【０００２】
【従来の技術】
近年、利用者（旅客）の利便性を高めるために、乗車券を自動改札機に投入することなく、非接触式に自動改札が行える非接触式自動改札機が使用されている。この非接触式自動改札機は、非接触券と非接触式自動改札機の本体との間で、非接触でデータの授受が行われて入出場（「入場」又は「出場」を意味している。）処理が行われるように構成されている。
【０００３】
非接触券と非接触式自動改札機の本体との間のデータ授受は、先ず、非接触券が非接触式自動改札機の本体に設けられているアンテナにかざされ、又はそのアンテナに軽くタッチされると、非接触券に記録されている定期券の乗車区間や有効期間、あるいはＳＦデータ等の所定のカードデータが読取られる。そして、非接触式自動改札機の本体では、その読取られたカードデータを基に入出場のための所定の演算処理を行い、その演算処理の結果が入出場を許可できるとき、ドアが開かれて（非接触式自動改札機の本体がノーマルオープン型のときはそのまま）利用者の改札通路の通過が許可されるとともに、その演算処理の結果である新たな入出場データが非接触券に書込まれる。非接触券にその新たな入出場データが書込まれたことが非接触式自動改札機の本体で確認できたことをもって、その非接触券に対する一連の処理が終了となる。
【０００４】
非接触券処理機の本体に設けられているアンテナの交信範囲は、隣接する他の非接触券処理機に対する影響を防止するため、あるいは、利用者が所持する電子機器や身に付けている医療機器への影響を防止するために、極狭い範囲に限られている。このため、アンテナの交信範囲に非接触券が完全に入らないと、非接触券処理機の本体と非接触券との間のデータ授受が不調となって所定の処理が行えないという不都合が発生する。
【０００５】
図４を基にさらに説明すると、図４（ａ）は、非接触券処理機を非接触式自動改札機としたときのアンテナ部分の平面図で、ａ′はカバーであり、このカバーａ′の内側周囲にアンテナａ″が設けられている。このアンテナａ″の通信範囲は、図４（ｂ）に鎖線のハッチングで示されるように、ドーム状に形成され、そのドームの高さは、約１０ｍｍ程度である。
【０００６】
非接触券は、このドーム状の通信範囲内に入ると、アンテナａ″から送出される電力波を受けて非接触券の駆動電源が生成され、その生成された駆動電源により非接触式自動改札機の本体と非接触券との間のデータ授受が行われる。したがって、非接触券がアンテナａ″により形成される高さ１０ｍｍ程度のドーム状の通信範囲内に正しく入らないと、すなわち、アンテナａ″から送出される電力波が非接触券に設けられているコイルと差交して電力を生成されないと、非接触式自動改札機の本体と非接触券との間でデータ授受が良好に行われないという不都合があった。
【０００７】
そこで、本発明は、上述欠点を解決するためになされたものであって、その目的は、非接触券処理機の本体と非接触券との間のデータ授受が良好に行えるようにした非接触券処理機を提供することにある。
【０００８】
【課題を解決するための手段】
本発明に係る非接触券処理機は、上記目的を達成するために、非接触券処理機の本体に設けられているアンテナに無線通信機能を備えたＩＣカードからなる非接触券をタッチ又はそのアンテナにかざしてその非接触券処理機の本体とその非接触券との間でデータ授受を行って所定の処理を行う非接触券処理機において、前記アンテナは、複数個に分割されて配置されていることを特徴としている。
本発明の請求項２に記載の非接触券処理機は、非接触券処理機の本体は、駅務機器の本体であることを特徴としている。
本発明の請求項３に記載の非接触券処理機は、駅務機器の本体は、非接触式自動改札機であることを特徴としている。
本発明の請求項４に記載の非接触券処理機は、非接触券は非接触券処理機の本体から電力波を受けて駆動されるものであることを特徴としている。
【０００９】
【発明の実施の形態】
以下、本発明の実施の形態を図面に基づいて説明する。図１は、一実施の形態に係る非接触券処理機を非接触式自動改札機としたときのその非接触式自動改札機の本体（以下、「改札機本体」という。）Ｇの斜視図である。この改札機本体Ｇの入口側の筐体Ｈの上面には、図示しない非接触券（後述する図２のＣ参照）と交信するための内部にアンテナａ１　，ａ２　…を備えたカバーａ′が設けられている。
【００１０】
改札機本体Ｇの筐体Ｈの改札通路Ｐの入口側には、改札機本体Ｇの使用状態、つまり改札通路Ｐを通過できるか否かを利用者に表示するための表示部１が設けられている。また、図１中、Ｓ，Ｓ…は、改札通路Ｐへの利用者の進入又は改札通路Ｐからの退出、あるいは、通過を検知するための光電式の人間検知器であって、筐体Ｈの側面に所定の間隔を保って設けられている。さらに、この人間検知器は、筐体Ｈの上面の改札通路Ｐと反対側で、その改札通路Ｐの通過方向に沿って設けられたセンサ取付ボックス２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【００１１】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ１　，Ｄ２　がそれぞれ設けられている。また、筐体Ｈの上面のほぼ中央部には、利用者に対して文字により所定の案内を行うための表示画面４が取付けられている。
【００１２】
図１中、５は、改札機本体Ｇの動作を司どる制御器であり、マイクロコンピュータを中心に構成されている。そして、この制御器５は、非接触券との間でデータの授受を行うための上述のアンテナａ１　，ａ２　…を接続したリーダライタＲ（後述の図２参照）が接続されている。
【００１３】
図２は、改札機本体Ｇに設けられている制御器５及び非接触券Ｃの電気的構成を示すブロック図である。制御器５側から説明すると、この制御器５のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ１　，Ｄ２　を駆動制御するドア駆動ユニット２４と、表示画面４の表示内容を駆動制御する表示画面駆動ユニット２５とが接続されている。なお、このＣＰＵ２０には、人間検知器Ｓ，Ｓ…、Ｓ′，Ｓ′…の検知信号を入力するためのセンサアンプや係員操作ユニット、あるいは駅制等の上位機器と交信するための通信制御部等が接続されているが、ここでは省略されている。
【００１４】
リーダライタＲには、非接触券Ｃと交信を行うための複数のアンテナａ１　，ａ２　…が接続されている。これらアンテナａ１　，ａ２　…は、非接触券Ｃとデータ授受を行う機能と、非接触券Ｃに電力を供給する機能とが備えられている。これらアンテナａ１　，ａ２　…は、カバーａ′を上面から見た図３（ａ）に示されるように、カバーａ′内に所定の間隔を保って複数個（図示の例では８個）設けられている。すなわち、これらアンテナａ１　，ａ２　…は、従来のアンテナａ″（図４（ａ）参照）を複数個に分割した形でカバーａ′内に配置されている。
【００１５】
上述のように、アンテナが複数のアンテナａ１　，ａ２　…からなるとき、これらアンテナａ１　，ａ２　…全体で形成される通信範囲は、図３（ｂ）に鎖線のハッチングで示されるように、所定高さを有する立方体を呈し、通信範囲を広げることができる。
【００１６】
なお、これら複数のアンテナａ１　，ａ２　…は、上述のように、一つのアンテナを複数に分割した形でもよく、または、複数のアンテナａ１　，ａ２　…がそれぞれ独立した形でリーダライタＲに接続されていてもよい。この場合、複数のアンテナａ１　，ａ２　…が時分割で駆動されてもよく、あるいは同時に駆動されてもよい。
【００１７】
非接触券Ｃは、無線通信機能を有するＩＣカードと同様に構成されている。すなわち、この非接触券Ｃには、アンテナＡと、改札機本体Ｇ側と交信するための通信制御部３０と、その通信制御部３０とＩ／Ｏユニット３１を介して接続されているＣＰＵ３２と、システムプログラムデータ、定期券データ、ストアードフェアカード（ＳＦカード）データ及びカードＩＤデータ等の所定のカードデータの記録されているメモリ３３と、改札機本体Ｇからの電力波をアンテナＡを介して受信し、非接触券Ｃの駆動電力を生成する電力生成回路３４とを有している。なお、非接触券Ｃは、内部に駆動電源（電池）を持つようにしてもよい。この場合は、電力生成回路３４は省略される。しかし、上述のように電力生成回路３４を有するときは、非接触券Ｃの厚さを薄くすることができる。
【００１８】
上記構成の非接触式自動改札機において、利用者が改札機本体Ｇのアンテナａ１　，ａ２　…に非接触券Ｃをタッチ又はかざして入出場しようとすると、改札機本体Ｇでは、非接触券Ｃに記録されているカードデータの読取りが行われる。そして、読取られたカードデータは、ＣＰＵ２０の演算処理に供される。その演算処理の結果、入出場を許可できるものであれば、ドアＤ１　が開かれて（改札機本体がノーマルオープン型であればそのまま）改札通路Ｐの通過が許可されて正常な入出場処理が行われる。上述の入出場の演算処理の結果、入出場を許可できないときは、ドアＤ１　が閉じられ、スピーカ３及び表示画面４を介して入出場を許可できない旨が利用者に案内されるとともに、係員室に設けられている図示しない監視盤にその旨が表示される。
【００１９】
なお、上述の例では、非接触券処理機として非接触式自動改札機の例を示したが、非接触券対応型の自動精算機や自動券売機、あるいは自動定期券発売機、自動金額積層機等の駅務機器であってもよい。
【００２０】
【発明の効果】
本発明の請求項１に記載の非接触券処理機は、アンテナを複数個に分割して配置しているので、非接触券処理機の本体と非接触券との間のデータ授受を良好に行わせることができる。
本発明の請求項２に記載の非接触券処理機において、非接触券処理機の本体は、駅務機器の本体であるので、駅務機器の本体と非接触券との間のデータ授受を良好に行わせることができる。
本発明の請求項３に記載の非接触券処理機において、駅務機器の本体は、非接触式自動改札機であるので、改札機本体と非接触券との間のデータ授受を良好に行わせることができる。
本発明の請求項４に記載の非接触券処理機は、非接触券は、非接触券処理機の本体から電力波を受けて駆動されるので、非接触券の厚さを薄くすることができる。
【図面の簡単な説明】
【図１】本発明の一実施の形態に係る非接触券処理機を非接触式自動改札機としたときのその斜視図である。
【図２】制御器及び非接触券の電気的構成を示すブロック図である。
【図３】アンテナ部分の説明図である。
【図４】従来のアンテナ部分の説明図である。
【符号の説明】
Ｇ　非接触式自動改札機の本体（改札機本体，非接触券処理機の本体）
Ｃ　非接触券
ａ′　カバー
ａ１　，ａ２　…アンテナ
【図１】
2004038453.tif 000003
【図２】
2004038453.tif 000004
【図３】
2004038453.tif 000005
【図４】
2004038453.tif 000006